(57)【要約】【課題】同時記録チャネル数が重要となる機能を実現するにあたり、一連の記録処理に影響を与えずに負荷軽減する。【解決手段】デジタルテレビジョン放送信号を入力する入力手段と、入力手段から入力されたデジタルテレビジョン放送信号から各チャネルの信号を選択する信号選択手段と、信号選択手段の出力信号を復調する復調手段と、復調手段により復調された信号を復号するとともに、デジタルテレビジョン放送信号に含まれるセクションの情報を抽出する復号手段と、復号手段により復号された信号に対し所定の信号処理を施し、記録手段に記録する信号処理手段と、各手段を制御する制御手段とを備え、制御手段は、予め分類されたセクションの情報の抽出を、チャネル毎に時分割して間引くように、抽出手段による所定のセクションの情報の抽出を一時停止させる制御をするセクション抽出制御手段を有する。【選択図】  図３
2010118865.tif 000002
【特許請求の範囲】
【請求項１】
デジタルテレビジョン放送信号を入力する入力手段と、
前記入力手段から入力されたデジタルテレビジョン放送信号から各チャネルの信号を選択する信号選択手段と、
前記信号選択手段の出力信号を復調する復調手段と、
前記復調手段により復調された信号を復号するとともに、前記デジタルテレビジョン放送信号に含まれるセクションの情報を抽出する復号手段と、
前記復号手段により復号された信号に対し所定の信号処理を施し、記録手段に記録可能な信号を出力する信号処理手段と、
前記各手段を制御する制御手段とを備える録画装置であって、
前記制御手段は、予め分類されたセクションの情報の抽出を、チャネル毎に時分割して間引くように、前記復号手段による所定のセクションの情報の抽出を一時停止させる制御をするセクション抽出制御手段を有することを特徴とする録画装置。
【請求項２】
前記制御手段は、前記セクションの情報の抽出をチャネル毎に時分割して間引く際、前記セクションの情報の抽出が各チャネルを順次巡回して行われるよう制御することを特徴とする請求項１に記載の録画装置。
【請求項３】
前記セクション抽出制御手段は、番組のデータストリームの記録処理に常に必要なセクションを常に抽出させる制御をすることを特徴とする請求項１または請求項２に記載の録画装置。
【請求項４】
前記セクション抽出制御手段は、前記データストリームの記録処理に直接は関係しないセクションを、１つのチャネル毎に順次巡回して抽出させる制御をすることを特徴とする請求項１乃至３のいずれか１項に記載の録画装置。
【請求項５】
前記セクション抽出制御手段は、常に必要ではないが前記データストリームの記録処理に対して影響があるセクションを、複数のチャネル毎に順次巡回して抽出させる制御をすることを特徴とする請求項１乃至４のいずれか１項に記載の録画装置。
【請求項６】
前記制御手段は、前記デジタルテレビジョン放送信号に含まれる全チャネルを記録するように番組のデータストリームの記録処理を制御することを特徴とする請求項１乃至５のいずれか１項に記載の録画装置。
【請求項７】
前記信号処理手段により所定の信号処理を施され出力される映像信号を表示する表示手段をさらに備えることを特徴とする請求項１乃至６のいずれか１項に記載の録画装置。
【請求項８】
デジタルテレビジョン放送信号を入力する入力手段と、前記入力手段から入力されたデジタルテレビジョン放送信号から各チャネルの信号を選択する信号選択手段と、前記信号選択手段の出力信号を復調する復調手段と、前記復調手段により復調された信号を復号とともに、前記デジタルテレビジョン放送信号に含まれるセクションの情報を抽出する復号手段と、前記復号手段により復号された信号に対し所定の信号処理を施し、記録手段に記録可能な信号を出力する信号処理手段と、前記各手段を制御する制御手段とを備える録画装置の制御方法であって、
前記制御手段は、予め分類されたセクションの情報の抽出を、チャネル毎に時分割して間引くように、前記復号手段による所定のセクションの情報の抽出を一時停止させる制御をすることを特徴とする録画装置の制御方法。
【発明の詳細な説明】
【技術分野】
【０００１】
この発明は、録画装置に関し、特にはデジタルテレビジョン放送を受信し、そのマルチチャネルを録画可能な録画装置に関する。
【背景技術】
【０００２】
現在、特許文献１に開示されたもののような、マルチチャネルの録画ができる記録装置がある。一般的なデジタル放送のマルチチャネル記録では、複数のチャネル毎に信号処理を行い複数の番組の記録（マルチチャネル記録）を行うので、番組記録のための処理負荷がチャネル数に比例し、（１チャネル記録の負荷）×（チャネル数）となる。また、従来のマルチチャネルの記録装置は、各チューナからの入力に対し単純に一様のセクション取得処理を行っている。したがって、記録チャネル数が増えた分だけその処理負荷が高くなる。マルチチャネル記録において、デジタル放送信号の復号（セクションの抽出処理を含む）等をする信号処理デバイスを負荷に応じて複数用意すれば性能面は問題ないがコストが問題となる。このため、単一の（または少数の）上記信号処理デバイスでマルチチャネルに対する処理を行えることが望まれている。
【０００３】
【特許文献１】特開２００６−３３２８７３号公報
【発明の開示】
【発明が解決しようとする課題】
【０００４】
しかしチャネル数が多い場合は、単一の（または少数の）信号処理デバイスの処理能力がネックとなり、同時記録チャネル数に上限が生じてしまう。全チャネルを丸録りする機能のように、同時記録チャネル数が重要となる機能を実現するためには、一連の記録処理に影響を与えずに負荷軽減できる方法が必要となる。
【０００５】
この発明は、全チャネルを丸録りする機能のように、同時記録チャネル数が重要となる機能を実現するにあたり、一連の記録処理に影響を与えずに負荷軽減できる録画装置を提供することを目的とする。
【課題を解決するための手段】
【０００６】
上記の目的を達成するために、この発明においては、デジタルテレビジョン放送信号を入力する入力手段と、前記入力手段から入力されたデジタルテレビジョン放送信号から各チャネルの信号を選択する信号選択手段と、前記信号選択手段の出力信号を復調する復調手段と、前記復調手段により復調された信号を復号するとともに、前記デジタルテレビジョン放送信号に含まれるセクションの情報を抽出する復号手段と、前記復号手段により復号された信号に対し所定の信号処理を施し、記録手段に記録可能な信号を出力する信号処理手段と、前記各手段を制御する制御手段とを備える録画装置であって、前記制御手段は、予め分類されたセクションの情報の抽出を、チャネル毎に時分割して間引くように、前記復号手段による所定のセクションの情報の抽出を一時停止させる制御をするセクション抽出制御手段を有することを特徴とする録画装置を提供する。
【０００７】
さらに、デジタルテレビジョン放送信号を入力する入力手段と、前記入力手段から入力されたデジタルテレビジョン放送信号から各チャネルの信号を選択する信号選択手段と、前記信号選択手段の出力信号を復調する復調手段と、前記復調手段により復調された信号を復号とともに、前記デジタルテレビジョン放送信号に含まれるセクションの情報を抽出する復号手段と、前記復号手段により復号された信号に対し所定の信号処理を施し、記録手段に記録可能な信号を出力する信号処理手段と、前記各手段を制御する制御手段とを備える録画装置の制御方法であって、前記制御手段は、予め分類されたセクションの情報の抽出を、チャネル毎に時分割して間引くように、前記復号手段による所定のセクションの情報の抽出を一時停止させる制御をすることを特徴とする録画装置の制御方法を提供する。
【発明の効果】
【０００８】
この発明によれば、セクションの情報の抽出を、チャネル毎に時分割して間引くので、複数チャネルの同時番組録画において、記録チャネル数に応じて記録に必要なデバイスの数を増やすことなく、また、番組のデータストリームの記録処理（録画処理）には影響を与えずに、記録チャネル数を増やすことが可能となる。
【発明を実施するための最良の形態】
【０００９】
以下、図面を参照しながら本発明の実施形態について説明する。
なお、デジタルテレビジョン放送については標準化されており、規格で定められる詳細については本明細書においてその説明を省略する。
【００１０】
はじめに、図１に、本発明の一実施形態に係るデジタルテレビジョン放送録画装置１０１の利用環境を示す。
【００１１】
図１に示すように、デジタルテレビジョン放送録画装置１０１は、その入力側にＢＳ／ＣＳデジタル放送受信用のアンテナ１２１と地上波放送受信用のアンテナ１２２が接続され、出力側にデジタルテレビジョン放送受像器１１１が接続される。デジタルテレビジョン放送録画装置１０１は、受信したデジタルテレビジョン放送信号をデコードすることにより番組を記録可能であり、また、放送中の番組または記録された番組の映像信号および音声信号をデジタルテレビジョン放送受像器１１１に供給し、デジタルテレビジョン放送受像器１１１にて番組を視聴できるようになっている。
【００１２】
また、図１（及び後述の図２）に示すデジタルテレビジョン放送録画装置１０１は、ＢＳ／ＣＳデジタル放送受信用と地上波放送受信用の２系統のみ簡易的に図示しているが、本実施形態のデジタルテレビジョン放送録画装置１０１は、マルチチャネルの番組を録画可能であり、そのためにＢＳ／ＣＳデジタル放送受信用と地上波放送受信用ともにそれぞれ複数のチューナ等の受信回路を備える構成となっている。
【００１３】
続いて、デジタルテレビジョン放送録画装置１０１のハードウェア構成について説明する。
図２は、上記したデジタルテレビジョン放送録画装置１０１の主要な信号処理系を示すブロック図である。
【００１４】
ＢＳ／ＣＳデジタル放送受信用のアンテナ１２１で受信した衛星デジタルテレビジョン放送信号は、入力端子２０１を介して衛星デジタル放送用のチューナ２０２ａに供給される。
チューナ２０２ａは、制御部２０５からの制御信号により所望のチャネルの放送信号を選局し、この選局された放送信号をＰＳＫ（Phase Shift Keying）復調器２０２ｂに出力する。
【００１５】
ＰＳＫ復調器２０２ｂは、制御部２０５からの制御信号により、チューナ２０２ａで選局された放送信号を復調し、所望の番組を含んだトランスポートストリーム（ＴＳ）を得て、ＴＳ復号器２０２ｃに出力する。
【００１６】
ＴＳ復号器２０２ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２０６内のＳＴＤバッファ（図示せず）へ出力する。
また、ＴＳ復号器２０２ｃは、デジタル放送により送られているセクション情報を信号処理部２０６内のセクション処理部（図示せず）へ出力する。
【００１７】
地上波放送受信用のアンテナ１２２で受信した地上デジタルテレビジョン放送信号は、入力端子２０３を介して地上デジタル放送用のチューナ２０４ａに供給される。
チューナ２０４ａは、制御部２０５からの制御信号により所望のチャネルの放送信号を選局し、この選局された放送信号をＯＦＤＭ（Orthogonal Frequency Division Multiplexing）復調器２０４ｂに出力する。
【００１８】
ＯＦＤＭ復調器２０４ｂは、制御部２０５からの制御信号により、チューナ２０４ａで選局された放送信号を復調し、所望の番組を含んだトランスポートストリームを得て、ＴＳ復号器２０４ｃに出力する。
【００１９】
ＴＳ復号器２０４ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２０６内のＳＴＤバッファへ出力する。
また、ＴＳ復号器２０４ｃは、デジタル放送により送られているセクション情報を信号処理部２０６内のセクション処理部へ出力する。
【００２０】
ここで、上記信号処理部２０６は、テレビ視聴時には、ＴＳ復号器２０２ｃおよびＴＳ復号器２０４ｃからそれぞれ供給されたデジタルの映像信号及び音声信号に対して、選択的に所定のデジタル信号処理を施し、グラフィック処理部２０７及び音声処理部２０８に出力している。一方、番組録画時には、ＴＳ復号器２０２ｃおよびＴＳ復号器２０４ｃからそれぞれ供給されたデジタルの映像信号及び音声信号に対して、選択的に所定のデジタル信号処理を施した信号を、制御部２０５を介して記録装置（例えば、ＨＤＤ）２７０に記録している。また、信号処理部２０６は、録画番組再生時には、制御部２０５を介して記録装置（例えば、ＨＤＤ）２７０から読み出された録画番組のデータに、所定のデジタル信号処理を施し、グラフィック処理部２０７及び音声処理部２０８に出力している。
【００２１】
制御部２０５には、信号処理部２０６から、番組を取得するための各種データ（Ｂ−ＣＡＳデスクランブル用の鍵情報等）や電子番組ガイド（ＥＰＧ）情報，番組属性情報（番組ジャンル等），字幕情報等（サービス情報、ＳＩやＰＳＩ）が入力されている。
制御部２０５は、これら入力された情報からＥＰＧ，字幕を表示するため画像生成処理を行い、この生成した画像情報をグラフィック処理部２０７へ出力する。
また、この制御部２０５は、番組録画および番組予約録画を制御する機能を有し、番組予約受付時には、外部の表示装置（例えば、デジタルテレビジョン放送受像器）に電子番組ガイド（ＥＰＧ）情報を表示し、操作部２２０またはリモートコントローラ２２１を介したユーザ入力により予約内容を所定の記憶手段に設定する。そして、設定された時刻に予約番組を録画するようチューナ２０２ａ，２０４ａ、ＰＳＫ復調器２０２ｂ，２０４ｂ、ＴＳ復号器２０２ｃ，２０４ｃおよび信号処理部２０６を制御する。また、丸録り録画機能として録画可能な全チャネルの番組を自動録画する際は、時刻にかかわらず各デバイスを制御し録画を行う。
【００２２】
セクション処理部は、ＴＳ復号器２０２ｃ（２０４ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２０５へ出力する。
【００２３】
グラフィック処理部２０７は、（１）信号処理部２０６内のＡＶデコーダ（図示せず）から供給されるデジタルの映像信号と、（２）ＯＳＤ（On Screen Display）信号生成部２０９で生成されるＯＳＤ信号と、（３）データ放送による画像データと、（４）制御部２０５により生成されたＥＰＧ，字幕信号とを合成して映像処理部２１０へ出力する機能を有する。
また、字幕放送による字幕を表示するとき、グラフィック処理部２０７は、制御部２０５からの制御による字幕情報に基づき、映像信号上に字幕情報を重畳する処理を行う。
【００２４】
グラフィック処理部２０７から出力されたデジタルの映像信号は、映像処理部２１０に供給される。この映像処理部２１０は、入力されたデジタルの映像信号を、デジタルテレビジョン放送受像器１１１で表示可能なフォーマットのアナログ映像信号に変換した後、出力端子２１１を介してデジタルテレビジョン放送受像器１１１に出力して映像表示させる。
【００２５】
また、上記音声処理部２０８は、入力されたデジタルの音声信号を、デジタルテレビジョン放送受像器１１１で再生可能なフォーマットのアナログ音声信号に変換した後、出力端子２１２を介してデジタルテレビジョン放送受像器１１１に出力して音声再生させる。
【００２６】
ここで、このデジタルテレビジョン放送受信装置１０１は、上記した各種の受信動作を含むその全ての動作を制御部２０５によって統括的に制御されている。この制御部２０５は、ＣＰＵ（Central Processing Unit）等を内蔵しており、操作部２２０からの操作情報を受け、または、リモートコントローラ２２１から送出された操作情報を、受光部２２２を介して受信し、その操作内容が反映されるように各部をそれぞれ制御している。
【００２７】
この場合、制御部２０５は、主として、そのＣＰＵが実行する制御プログラムを格納したＲＯＭ（Read Only Memory）２０５ａと、当該ＣＰＵに作業エリアを提供するＲＡＭ（Random Access Memory）２０５ｂと、各種の設定情報及び制御情報等が格納される不揮発性メモリ２０５ｃとを利用している。
【００２８】
また、この制御部２０５は、カードＩ／Ｆ（Interface）２２３を介して、第１のメモリカード２２４が装着可能なカードホルダ２２５に接続されている。これによって、制御部２０５は、カードホルダ２２５に装着された第１のメモリカード２２４と、カードＩ／Ｆ２２３を介して情報伝送することができる。
【００２９】
さらに、上記制御部２０５は、カードＩ／Ｆ２２６を介して、第２のメモリカード２２７が装着可能なカードホルダ２２８に接続されている。これにより、制御部２０５は、カードホルダ２２８に装着された第２のメモリカード２２７と、カードＩ／Ｆ２２６を介して情報伝送することができる。
【００３０】
また、上記制御部２０５は、通信Ｉ／Ｆ２２９を介して第１のＬＡＮ端子２３０に接続されている。これにより、制御部２０５は、第１のＬＡＮ端子２３０に接続されたＬＡＮ対応の機器（例えば、外付けＨＤＤ）と、通信Ｉ／Ｆ２２９を介して情報伝送することができる。この場合、制御部２０５は、ＤＨＣＰ（Dynamic Host Configuration Protocol）サーバ機能を有し、第１のＬＡＮ端子２３０に接続されたＬＡＮ対応の機器にＩＰ（Internet Protocol）アドレスを割り当てて制御している。
【００３１】
さらに、上記制御部２０５は、通信Ｉ／Ｆ２３１を介して第２のＬＡＮ端子２３２に接続されている。これにより、制御部２０５は、第２のＬＡＮ端子２３２に接続されたＬＡＮ対応の各種機器と、通信Ｉ／Ｆ２３１を介して情報伝送することができる。
【００３２】
また、上記制御部２０５は、ＵＳＢ  Ｉ／Ｆ２３３を介してＵＳＢ端子２３４に接続されている。これにより、制御部２０５は、ＵＳＢ端子２３４に接続された各種機器と、ＵＳＢ  Ｉ／Ｆ２３３を介して情報伝送することができる。
【００３３】
さらに、上記制御部２０５は、ｉ．ＬＩＮＫ  Ｉ／Ｆ２３５を介してｉ．ＬＩＮＫ端子２３６に接続されている。これにより、制御部２０５は、ｉ．ＬＩＮＫ端子２３６に接続された各種機器と、ｉ．ＬＩＮＫ  Ｉ／Ｆ２３５を介して情報伝送することができる。
【００３４】
また、制御部２０５は、この発明に係わる機能部として、セクション抽出制御機能２５０を備えている。制御部２０５は、このセクション抽出制御機能２５０により、下記のセクション抽出制御を行う。
【００３５】
ここで、制御部２０５のセクション抽出制御機能２５０によるセクション抽出制御について、図３を用いて説明する。
図３は、セクション抽出制御機能２５０によるセクション抽出の際の動作を模式的に示した図である。図３に示すブロック２６０は、図２に示すブロック２６０に対応する。
【００３６】
ＴＳ復号器２０２ｃ（２０４ｃ）により復号されたセクションＡ，Ｂ，Ｃの列は、ＴＳパケットフィルタによって、セクション毎に分離・抽出される。そして抽出された各セクション毎の列は、再構成されて（セクション生成）、セクションＡ、セクションＢ、セクションＣとして、チャネル毎に信号処理部２０６へ供給される。
【００３７】
本実施形態におけるセクション抽出では、制御部２０５のセクション抽出制御機能２５０により、録画対象番組のデータストリームの記録処理（録画処理）に対する各セクションの抽出処理を、チャネルごとに時分割して間引く（一部のセクションの抽出を一時的に停止する）制御を行う。この制御により、番組のデータストリームの記録処理には影響を与えずに機器全体としての負荷を軽減する。なお、各セクションは、下記のようにその必要度を考慮して予め分類されており、その抽出が行われる。
【００３８】
図３では、常にその抽出を行うセクションＡと、その抽出が一時停止されるセクションＢ、Ｃの３種のセクションの抽出の様子を示している。
【００３９】
セクションＡの抽出は、このセクションＡが番組のデータストリームの記録処理に常に必要なセクションであるため、図３に示すように、全チューナからの入力に対してその抽出を常に実行している。このセクションＡは、例えば、Ｂ−ＣＡＳデスクランブルに必要なＥＣＭ（Entitlement Control Message）が相当する。
【００４０】
セクションＢの抽出は、このセクションＢが番組のデータストリームの記録処理に直接は関係しないため、また頻繁に更新されるものではないため、同時には１つのチューナ（図３ではチューナ２）からの入力に対してのみ実行し、順次各チューナからの入力に対して巡回して取得する。このセクションＢは、例えば、番組の名称、放送日時・内容など番組に関する情報であるＥＩＴ（Event Information Table）などが相当する。
【００４１】
セクションＣの抽出は、上記セクションＢと同様に順次各チューナからの入力に対して巡回して取得するが、このセクションＣが番組のデータストリームの記録処理に対して影響があるセクションであるため、同時に２つのチューナ（図ではチューナ１、Ｎ）からの入力から取得し、負荷は減らしつつもセクションＢの場合よりも取得頻度を高めている。このセクションＣは、例えば、デスクランブル対象のパケットを指定するパケットＩＤを格納するＰＭＴ（Programme Map Table）などが相当する。
【００４２】
なお、図３の例では、チューナ１およびＮからの入力に対しセクションＣの抽出を行い、チューナ２からの入力に対しセクションＢの抽出を行っているが、このとき他のチューナからの入力については、セクションＢおよびセクションＣの抽出はともに一時停止されている。
【００４３】
このように、制御部２０５のセクション抽出制御機能２５０は、セクションＢおよびセクションＣの抽出に関して、ＴＳパケットフィルタに対し、以上のようなセクションの抽出または一時停止をさせる制御を行う。
【００４４】
なお、セクションの抽出または一時停止の制御をどのように行うかは、全体の負荷を考慮して事前に決定される。もちろん、制御時に、動的に決定するようにしてもよい。また、ハードウェア構成として、図３に示すＴＳパケットフィルタおよびセクション生成部と、セクション抽出制御機能を実現するＣＰＵとを１チップで構成してもよい。
【００４５】
次いで、セクション抽出処理時の制御部２０５のセクション抽出制御機能２５０により制御処理の概要を、図４のフローチャートを用いて説明する。
図４は、セクション抽出処理時の制御部２０５のセクション抽出制御機能２５０により制御処理を説明するフローチャートの一例である。以下に説明する制御処理は、制御部２０５のセクション抽出制御機能２５０により制御部２０５が実行する。
【００４６】
ここでは、チューナ１〜Ｎ（例えば、Ｎ＝８）からの、選択されたチャネルの入力に対しチャネル番号１〜Ｎを割り当てている。また、図４に示すフローチャートでは、このチャネル番号を示す変数としてｍ、ｎ１、ｎ２を用いている。そして、チャネルｍに対しセクションＢの抽出を行わせ、チャネルｎ１、ｎ２に対してセクションＣの抽出を行わせるものとしている。
【００４７】
はじめに、制御部２０５は、変数ｍ、ｎ１、ｎ２の初期化を行う（例えば、ｍ＝３、ｎ１＝１、ｎ２＝Ｎなどと設定する）（ステップＳ４０１）。
【００４８】
次いで、制御部２０５は、ＴＳ復号器２０２ｃおよび２０４ｃに、各変数に対応するチャネルの、各変数に対応するセクションＢおよびセクションＣを抽出させる（ステップＳ４０２）。
【００４９】
次に、制御部２０５は、全チャネルに対し、セクションＢおよびセクションＣの抽出を完了したか判断する（ステップＳ４０３）。
【００５０】
ステップＳ４０３の判断で、全チャネルに対し、セクションＢおよびセクションＣの抽出を完了したと判定された場合、ステップＳ４０１に制御を戻し、一連の処理を繰り返す。
【００５１】
一方、ステップＳ４０３の判断で、全チャネルに対する、セクションＢおよびセクションＣの抽出が完了していないと判定された場合、制御部２０５は、変数ｍ、ｎ１、ｎ２に、それぞれ変数ｍ、ｎ１、ｎ２の次の値であるｎｅｘｔｍ、ｎｅｘｔｎ１、ｎｅｘｔｎ２を代入し、ステップＳ４０２に制御を戻す。そして、ステップＳ４０２以降の処理を、全チャネルに対する、セクションＢおよびセクションＣの抽出が完了するまで、順次実行する。なお、変数ｍ、ｎ１、ｎ２の次の値であるｎｅｘｔｍ、ｎｅｘｔｎ１、ｎｅｘｔｎ２は、録画対象の全チャネルを順次巡回できるように定められる。
【００５２】
なお、上記制御処理の流れは、一例であってこれに限定されるものではない。録画対象の全チャネルを順次巡回してセクションの情報を抽出することができる任意の制御手順を採用することができる。
【００５３】
以上説明したとおり、本発明によれば、複数のチューナを持ちデジタルテレビジョン放送のマルチチャネル記録を行う機器において、録画対象番組のデータストリームの記録処理に対する各セクションの必要度を考慮して、各セクションの抽出処理を、チャネルごとに時分割して間引くので、当該記録処理には影響を与えずに機器全体としての負荷を軽減することができる。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、本発明は、上述したデジタルテレビジョン放送録画装置に限らず、デジタルテレビジョン放送受像器に適用することができる。
【図面の簡単な説明】
【００５５】
【図１】本発明の一実施形態に係るデジタルテレビジョン放送録画装置の利用環境を示す図である。
【図２】同実施形態のデジタルテレビジョン放送録画装置の主要な信号処理系を示すブロック図である。
【図３】同実施形態におけるセクション抽出制御機能によるセクション抽出の際の動作を模式的に示した図である。
【図４】同実施形態におけるセクション抽出処理時の制御部のセクション抽出制御機能により制御処理を説明するフローチャートの一例である。
【符号の説明】
【００５６】
１０１…デジタルテレビジョン放送録画装置、１１１…デジタルテレビジョン放送受像器、１２１…ＢＳ／ＣＳデジタル放送受信用のアンテナ、１２２…地上波放送受信用のアンテナ、２０２ａ、２０４ａ…チューナ、２０２ｂ…ＰＳＫ復調器、２０４ｂ…ＯＦＤＭ復調器、２０２ｃ、２０４ｃ…ＴＳ復号器、２０５…制御部、２０６…信号処理部、２５０…セクション抽出制御機能、２７０…記録装置、２２０…操作部、２２１…リモートコントローラ。
【図１】
2010118865.tif 000003
【図２】
2010118865.tif 000004
【図３】
2010118865.tif 000005
【図４】
2010118865.tif 000006